(57)【要約】【課題】電線を噛み込み等なく容易に且つ抜け出し等なく確実に挿通させ、また、外部との干渉時の破損等を防ぎ、また、低コストで容易に製造できるようにする。【解決手段】複数本の電線９を配置する板状の下側のブラケット２と、ブラケットの一側方に一体に立ち上げられた一方の側壁４と、一方の側壁から内向きに且つ斜め上向きに傾斜して続く傾斜壁５と、ブラケットの他側方に一体に且つ一方の側壁よりも高く立ち上げられた他方の側壁６と、他方の側壁から内向きに屈曲して傾斜壁の上側に対向し、傾斜壁との間に、内側に向かうにつれて漸次縮幅した電線挿入用の隙間８を形成する可撓性の天壁７とで構成されたブラケット一体電線保護部材１を採用する。ブラケット２と一方及び他方の側壁４，６と傾斜壁５と天壁７とは金属材で一体に形成されている。【選択図】図１
2012182898.tif 000002
【特許請求の範囲】
【請求項１】
複数本の電線を配置する板状の下側のブラケットと、該ブラケットの一側方に一体に立ち上げられた一方の側壁と、該一方の側壁から内向きに且つ斜め上向きに傾斜して続く傾斜壁と、該ブラケットの他側方に一体に且つ該一方の側壁よりも高く立ち上げられた他方の側壁と、該他方の側壁から内向きに屈曲して該傾斜壁の上側に対向し、該傾斜壁との間に、内側に向かうにつれて漸次縮幅した電線挿入用の隙間を形成する可撓性の天壁とで構成されたことを特徴とするブラケット一体電線保護部材。
【請求項２】
前記電線挿入用の隙間の最小寸法が、使用する電線の外径にほぼ等しいことを特徴とする請求項１記載のブラケット一体電線保護部材。
【請求項３】
前記天壁が外部と干渉した際に下向きに撓んで前記傾斜壁の上端に当接することで、前記ブラケットと前記一方及び他方の側壁と前記傾斜壁と該天壁とで囲まれた電線収容空間が確保され、且つ前記電線挿入用の隙間が閉止されて前記電線の抜け出しが防止されることを特徴とする請求項１又は２記載のブラケット一体電線保護部材。
【請求項４】
前記ブラケットと前記一方及び他方の側壁と前記傾斜壁と前記天壁とが金属材で一体に形成されたことを特徴とする請求項１〜３の何れかに記載のブラケット一体電線保護部材。
【発明の詳細な説明】
【技術分野】
【０００１】
本発明は、例えば自動車のトランスミッション等の近傍に配索されるワイヤハーネスを外部との干渉から安全に保護するブラケット一体電線保護部材に関するものである。
【背景技術】
【０００２】
従来、自動車用のワイヤハーネスを外部との干渉等から保護するために、種々の電線保護部材（電線保護構造）が提案されている。
【０００３】
例えば、特許文献１には、合成樹脂製のプロテクタ（図示せず）を樋状のプロテクタ本体と板状のカバーとで構成し、プロテクタ本体内に複数本の電線で成るワイヤハーネスを挿通してテープ巻きで結束し、カバーを係止爪や係止突起や係止枠部といった係止手段でプロテクタ本体に係止させることが記載されている。
【０００４】
また、特許文献２には、合成樹脂製のハーネス挿通部に左右一対の可撓壁をラップさせて設け、可撓壁を内向きに撓ませてワイヤハーネスをハーネス挿通部内に挿入し、復元した可撓壁でワイヤハーネスの抜け出しを防止することが記載されている。
【０００５】
また、特許文献３には、合成樹脂製の横長板状（ブラケット状）の固定部材にワイヤハーネスを配索してテープ巻きや結束バンドや係止クリップで固定し、固定部材に突設された平板部を自動車の内装材等に接着剤で固定することが記載されている。
【先行技術文献】
【特許文献】
【０００６】
【特許文献１】特開平６−１６５３４１号公報（図２，図６）
【特許文献２】特開２００３−９２８２１号公報（図３，図５）
【特許文献３】特開２０１０−８１７６１号公報（図２）
【発明の概要】
【発明が解決しようとする課題】
【０００７】
上記以外の電線保護部材として、図７に示すようなブラケット式の電線保護部材２１が用いられている。
【０００８】
例えば自動車のトランスミッションの内部等の構成部品の近傍に配索されるワイヤハーネス２４において、板状の金属ブラケット２２に予め配索したワイヤハーネス２４を使用することで、トランスミッションケースやソレノイド等といった周辺部品とのクリアランスを確保している。一般的には電線束をブラケットに結束バンドで共締め収束することで固定しているが、より確実な規制が必要な場合は、ブラケット２２よりも短い樋状の樹脂カバー２３を取り付けている。樹脂カバー２３は係止突起２５や係止枠部２６といった係止手段でブラケット２２に固定される。
【０００９】
しかしながら、図７の電線保護部材（電線保護構造）２１にあっては、図８に示す如く、樹脂カバー２３を閉止させる際に、ブラケット２２と樹脂カバー２３との間に電線２４ａを噛み込んでしまう懸念があり（噛み込み部を符号２７で示す）、その場合には、組付作業性が低下したり、電線２４ａに傷が付いたりし兼ねないという懸念があった。
【００１０】
また、図９に示す如く、組付作業中や輸送中等において樹脂カバー２３を強くぶつけた（干渉させた）場合に（干渉部分を符号２８で示す）、樹脂カバー２３が破損し兼ねないという懸念があった。また、金属ブラケット２２と樹脂カバー２３とを別々のラインで製造するために、管理面やコスト面で不利になるという懸念があった。
【００１１】
本発明は、上記した点に鑑み、電線を噛み込み等なく容易に且つ抜け出し等なく確実に挿通させることができ、また、外部との干渉時に破損したり挿通済みの電線に悪影響を及ぼしたりすることがなく、また、低コストで容易に製造することのできるブラケット一体電線保護部材を提供することを目的とする。
【課題を解決するための手段】
【００１２】
上記目的を達成するために、本発明の請求項１に係るブラケット一体電線保護部材は、複数本の電線を配置する板状の下側のブラケットと、該ブラケットの一側方に一体に立ち上げられた一方の側壁と、該一方の側壁から内向きに且つ斜め上向きに傾斜して続く傾斜壁と、該ブラケットの他側方に一体に且つ該一方の側壁よりも高く立ち上げられた他方の側壁と、該他方の側壁から内向きに屈曲して該傾斜壁の上側に対向し、該傾斜壁との間に、内側に向かうにつれて漸次縮幅した電線挿入用の隙間を形成する可撓性の天壁とで構成されたことを特徴とする。
【００１３】
上記構成により、ブラケットと一方及び他方の側壁と傾斜壁と天壁とで囲まれて電線収容空間が構成され、電線は傾斜壁に沿って案内摺接されて電線挿入用の隙間からスムーズに電線収容空間内に挿入される。天壁はブラケットと平行に水平に配置され（あるいは傾斜壁に対して斜め上向きに配置されてもよい）、傾斜壁との間に外側に向かうにつれてテーパ状に拡幅された広い電線挿入角度の電線案内空間を構成する。電線収容空間に挿入された電線は、傾斜壁のなすラビリンス構造で電線挿入用の隙間から抜け出ることができない。特に傾斜壁がブラケット長手方向（前後方向）に長く形成された場合は、一層確実に電線の抜け出しが阻止される。例えば天壁が外部と強く干渉した（ぶつかった）場合は、天壁が内向き（下向き）に撓んで衝撃を吸収し（緩衝させ）、各壁部の破損を防ぐと共に、電線挿入用の隙間を縮幅ないし完全に閉止する。天壁が傾斜壁の上端に当接する（受け止められる）ことで、各壁部の潰れが防止されて電線収容空間が広く確保され、同時に電線挿入用の隙間が閉じて、電線の飛び出しや抜け出しが阻止される。ブラケットと一方及び他方の側壁と傾斜壁と天壁とは金属板又は合成樹脂で一体に成型可能である。
【００１４】
請求項２に係るブラケット一体電線保護部材は、請求項１記載のブラケット一体電線保護部材において、前記電線挿入用の隙間の最小寸法が、使用する電線の外径にほぼ等しいことを特徴とする。
【００１５】
上記構成により、電線が引っ掛かり等なく電線挿入用の隙間にスムーズに挿入され、且つ挿入後の電線の電線挿入用の隙間からの抜け出しが確実に防止される。
【００１６】
請求項３に係るブラケット一体電線保護部材は、請求項１又は２記載のブラケット一体電線保護部材において、前記天壁が外部と干渉した際に下向きに撓んで前記傾斜壁の上端に当接することで、前記ブラケットと前記一方及び他方の側壁と前記傾斜壁と該天壁とで囲まれた電線収容空間が確保され、且つ前記電線挿入用の隙間が閉止されて前記電線の抜け出しが防止されることを特徴とする。
【００１７】
上記構成により、干渉時に天壁が弾性的に内向きに撓んで衝撃を緩和させると共に、傾斜壁が天壁のそれ以上の撓みを阻止して各壁部で囲まれた電線収容空間を広く維持し、電線の潰れ変形を防止する。それと同時に電線挿入用の隙間が閉じて、収容済みの電線の外部への抜け出しや飛び出しが阻止される。
【００１８】
請求項４に係るブラケット一体電線保護部材は、請求項１〜３の何れかに記載のブラケット一体電線保護部材において、前記ブラケットと前記一方及び他方の側壁と前記傾斜壁と前記天壁とが金属材で一体に形成されたことを特徴とする。
【００１９】
上記構成により、例えば、プレス機でブラケットと一方及び他方の側壁と傾斜壁と天壁とが一枚の金属板から展開状態に打ち出され、次いで両側壁がブラケットの一側及び他側から折り曲げられ、次いで一方の側壁から傾斜壁が折り曲げられ、次いで他方の側壁から天壁が折り曲げられて、金属製のブラケット一体電線保護部材が構成される。金属製の天壁は樹脂材よりも強い弾性力で高い衝撃緩衝力や復元力を発揮し、傾斜壁は撓んだ天壁をしっかりと受け止めて、各壁部で内側の電線収容空間を確実に維持する。
【発明の効果】
【００２０】
請求項１記載の発明によれば、電線を傾斜壁に沿って案内させて電線挿入用の隙間から内側の空間に容易に挿入することができる。また、傾斜壁のなすラビリンス構造で挿入した電線の電線挿入用の隙間からの抜け出しや飛び出しを防止することができる。また、外部と強く干渉した際に、天壁が撓んで衝撃を吸収して破損を防ぐと同時に、天壁で電線挿入用の隙間を縮小させ又は閉じて、電線の抜け出しや飛び出しを防止すると共に、内側の電線を安全に保護することができる。また、各壁部をブラケットと同じ材料で一体に形成することで、コストを抑え、製造を容易に行うことができる。
【００２１】
請求項２記載の発明によれば、電線を引っ掛かり等なく電線挿入用の隙間にスムーズに挿入することができ、挿入後の電線の電線挿入用の隙間からの抜け出しや飛び出しを確実に防止することができる。
【００２２】
請求項３記載の発明によれば、外部との干渉時に天壁の弾性で衝撃を緩和させて各壁部の破損を防ぐと共に、内側の電線を潰れ変形等なく安全に保護し、しかも電線挿入用の隙間からの電線の飛び出しや抜け出しを防いで、電線の通電性（品質）を良好に確保することができる。
【００２３】
請求項４記載の発明によれば、従来の樹脂カバーよりも高い強度で干渉時の破損を確実に防止することができると共に、金属板からプレス成型で容易に且つ低コストでブラケット一体電線保護部材を形成することができる。
【図面の簡単な説明】
【００２４】
【図１】本発明に係るブラケット一体電線保護部材の一実施形態を示す、（ａ）は斜視図、（ｂ）は正面図である。
【図２】ブラケット一体電線保護部材に隙間から電線を挿入する状態を示す、（ａ）は斜視図、（ｂ）は正面図である。
【図３】ブラケット一体電線保護部材に挿入する電線が隙間を通過する直前の状態を示す、（ａ）は斜視図、（ｂ）は正面図である。
【図４】ブラケット一体電線保護部材に電線を挿入した状態を示す、（ａ）は斜視図、（ｂ）は正面図である。
【図５】ブラケット一体電線保護部材に複数本の電線を挿入した状態を示す、（ａ）は斜視図、（ｂ）は正面図である。
【図６】ブラケット一体電線保護部材の電線経路規制部が外部と干渉した状態を示す、（ａ）は斜視図、（ｂ）は正面図である。
【図７】従来の電線保護部材の一形態を示す分解斜視図である。
【図８】同じく樹脂カバーで電線を噛み込む不具合を示す正面図である。
【図９】同じく樹脂カバーをぶつけて破損させる不具合を示す斜視図である。
【発明を実施するための形態】
【００２５】
図１〜図６は、本発明に係るブラケット一体電線保護部材の一実施形態を示すものである。
【００２６】
図１（ａ）（ｂ）の如く、このブラケット一体電線保護部材１は、金属製の横長平板状のブラケット２と、ブラケット２の長手方向中間部に一体に設けられた略矩形筒状の金属製の電線経路規制部３とで構成されている。
【００２７】
ブラケット２は、短辺側の前後の平行で垂直な端面２ａ，２ｂと、長辺側の左右の平行で垂直な端面２ｃ，２ｄと、上下の平行で水平な幅広な面２ｅ，２ｆとを有している。本例のブラケット２の長辺２ｃ，２ｄの長さは短辺２ａ，２ｂの長さ（幅）の五倍程度である。ブラケット２の長さや幅は必要に応じて適宜設定される。明細書で前後左右上下の方向性は説明の便宜上のものであり、必ずしもブラケット一体電線保護部材１の取付方向と一致するものではない。
【００２８】
電線経路規制部３は、ブラケット２の左端２ｃから一体に立ち上げられて高さ方向中間部で内向きに右上がりに傾斜状に屈曲した一方の規制壁３ａと、ブラケット２の右端２ｄから一体に一方の規制壁３ａよりも高く立ち上げられて上端において内向きに水平に屈曲された他方の規制壁３ｂとで構成されている。
【００２９】
一方の規制壁３ａは、下側の水平なブラケット２に対して垂直に立ち上げられた一方の側壁４と、一方の側壁４の上端から内向きに且つ斜め上向きに傾斜状に突出した傾斜壁５とで構成されている。傾斜壁５は突出先端（上端）５ａに向かうにつれて直線的に高さを増している。本例の傾斜壁５は一方の側壁４よりも少し短く形成され、上下に平行な傾斜面５ｂ，５ｃを有する。一方の側壁４の下端部はブラケット２の左端２ｃに直交して（左端２ｃから上向きに折り曲げられて）一体に続いている。
【００３０】
他方の規制壁３ｂは、一方の規制壁３ａよりも高く立ち上げられた垂直な他方の側壁６と、他方の側壁６の上端から内向きに直角に屈曲して一方の規制壁３ａの傾斜壁５の上側まで延長された水平な天壁（上壁）７とで構成されている。本例の天壁７は他方の側壁６よりも長く形成され、天壁７の突出先端（左端）７ａは一方の側壁４の内面４ａと略同一垂直面上に位置し、天壁７の幅はブラケット２の幅に略等しい。他方の側壁６の下端部はブラケット２の右端２ｄに直交して（右端２ｄから上向きに折り曲げられて）一体に続いている。
【００３１】
天壁７の突出先端部分（左端部分）７ａは傾斜壁５の上側に被さるように対向し、天壁７の下面７ｂと傾斜壁５の傾斜状の上面５ｂとの間に、内側（傾斜壁５の先端５ａ）に向かうにつれて漸次内幅を縮小させた電線挿入用の隙間８が形成されている。天壁７は内向き（下向き）の可撓性を有している。傾斜壁５の上端５ａと天壁７の下面７ｂとの間の隙間８ａが最小であり、この最小隙間８ａは、挿入する電線９（図２）の外径にほぼ等しい。電線９が丁度通る寸法に隙間８ａを電線９の外径よりも若干広くすることが好ましい。
【００３２】
図２（ａ）（ｂ）の如く、電線９を水平に伸ばした状態で傾斜壁５の上面５ｂに沿って摺接案内させて、図３（ａ）（ｂ）の如く、天壁７との間の隙間８を通って、図４（ａ）（ｂ）の如く、略矩形筒状の電線経路規制部３の内側空間（電線収容空間）１０に挿入する。
【００３３】
図２（ｂ）において、傾斜壁５の上面（傾斜面）５ｂは電線案内面ないし電線受け面として作用する（傾斜壁５は電線ガイド部ないし電線受け部として作用する）。傾斜壁５の上面５ｂと天壁７の突出先端面（左端面）７ａとのなす開角度すなわち電線挿入角度θは広くすなわち９０°以上で１８０°未満に設定されている。
【００３４】
図３（ｂ）の如く、傾斜壁５の上端５ａと天壁７との間の隙間８ａ（図１）は最小であり、電線９が丁度通る寸法すなわち電線９が引っ掛かったり大きな摺動抵抗を受けることなくスムーズに挿入される（小さな抵抗で摺接されてもよい）寸法に設定されている。
【００３５】
たとえ電線９の外径Ｄよりも隙間８ａが小さく規定された場合でも、傾斜壁５よりも突出長さの長い天壁７が板厚方向（上下方向）の可撓性を有して、電線９の挿入時に上向きに撓むので、使用する電線９の種類（外径）は一種類に限定されるものではない。
【００３６】
図３（ａ）の如く、傾斜壁５の前後方向長さＬはある程度長く設定されているので、図４の電線挿入完了状態から不意に電線９が飛び出そうとしても、電線９を隙間８ａから脱出させるためには、電線９の前後両側を手で持って電線９を水平（真直）に伸ばさなければ抜き出せないので、不意に電線９が飛び出したり抜け出したりすることが防止される。
【００３７】
図４（ｂ）の如く、電線経路規制部３の内側空間１０に一度進入した電線９は斜め上向きの傾斜壁５の下面５ｃで上方すなわち隙間８ａへの移動を規制され、且つ隙間８ａは最小であり、且つ傾斜壁５の突出先端面（右端面）５ｄや突出先端面５ｄの下端５ｅのエッジで電線９を干渉させて、電線９の不意な飛び出しや抜け出しが防止される。このように傾斜壁５はラビリンス（迷路）構造をなして電線９の抜け出し等を防止する。
【００３８】
図５（ａ）（ｂ）の如く、電線９は傾斜壁５の突出先端面５ｄの下端５ｅ程度の高さまで段積みに収容されることが好ましい。傾斜壁５の下側の空間１０ａにも電線９を収容可能である。ブラケット２は電線経路規制部３の底壁をなし、ブラケット２の上面２ｅは電線載置（配置）面として作用する。ブラケット２の前後端部で複数本の電線９を不図示のテープ巻きや結束バンドで収束固定することも可能である。電線９を一本ずつ隙間８から挿入することで（複数本の電線９を径方向に接触させて並列に並べた状態で次々に挿入することも可能である）、従来の樹脂カバー（図８）で電線９を挟み込む不具合が解消される。
【００３９】
図６（ａ）（ｂ）の如く、電線経路規制部３の天壁７が外部と強く干渉した場合でも（干渉を符号１１で示す）、天壁７が内向き（下向き）に弾性的に撓んで衝撃力を吸収（緩衝）し、且つ天壁７の内面７ｂが傾斜壁５の上端５ａに当接してそれ以上の天壁７の撓み変形が阻止されて、電線経路規制部３の内部空間１０が広い状態に確保され、空間１０内の電線９の径方向の潰れが防止される。傾斜壁５は天壁７よりも突出長さが短いから、撓みにくく（若干は撓み可能であるが）、天壁７をしっかりと受け止める。
【００４０】
また、天壁７が傾斜壁５に接して隙間８ａをゼロないし小さく縮小することで、外部との干渉時における電線９の不意な飛び出しや抜け出しが防止される。電線経路規制部３は金属製であるので、強度的に丈夫で破損しにくく、従来の樹脂カバー（図９）が緩衝時に破損する不具合が解消される。
【００４１】
天壁７ではなく右側の側壁６や天壁７と側壁６との交差部１２を強くぶつけた場合は、側壁６が内側（左側）に傾倒して天壁７が図６（ｂ）と同様に内向き（下向き）に傾斜して傾斜壁５に当接し、同様に電線９の収容空間１０を広く確保しつつ隙間８ａを閉じて電線９の飛び出しや抜け出しを阻止する。左側の側壁４や傾斜壁５は右側の側壁６や天壁７に較べて短いので、殆ど撓まずに内側の電線９を保護する。
【００４２】
また、電線経路規制部３をブラケット２と一体に金属材で形成することで、従来の金属ブラケットと別部品の樹脂カバーとで成る電線保護部材（図７）に較べて製造が容易であり、製造コストや製品コストが低減される。
【００４３】
本例のブラケット一体電線保護部材１は、例えば不図示のプレス金型における順送工程やトランスファ工程で容易に形成することができる。不図示の一台のプレス機の上下の金型に異なる形状の複数の成型部を順に形成し（順送工程の場合）、あるいは上下の金型を異なる形状の複数の成型部で構成し（トランスファ工程の場合）、金属板を例えばロールの状態から伸ばしてプレス機に送り、上金型の下降動作で一次成型部で金属板を一次加工し、上金型の上昇時に金属板を送り機で一ピッチ送って一次成型品を隣の二次成型部に移動させ、次の上金型の下降動作で二次加工して二次成型品を得て、以下順に加工を繰り返して図１のブラケット一体電線保護部材１を得る。
【００４４】
例えば、一次成型部で図１のブラケット一体電線保護部材１を平面的に展開した形状に打ち抜き加工し、二次成型部で左右の規制壁３ａ，３ｂを垂直に立ち上げ加工し、三次成型部で左側の短い（高さの低い）規制壁３ａを高さ方向中間部から内向きに斜めに折り曲げて傾斜壁５を形成し、四次成型部で右側の長い（高さの高い）規制壁３ｂを中間部から内向きに直角に折り曲げて天壁７を形成する。
【００４５】
なお、上記実施形態においては、ブラケット一体電線保護部材１を金属材で形成したが、金属材に代えて合成樹脂材で形成することも可能である。この場合は、ブラケット長手方向に金型を分割させる射出成形や、押出成形と電線経路規制部３の切断加工の組み合わせ等で樹脂製のブラケット一体電線保護部材１を得ることができる。
【００４６】
また、上記実施形態においては、ブラケット２の長手方向中央に電線経路規制部３を配設したが、電線経路規制部３はブラケット２の中央に限らず、外部との電線９の干渉を防止する必要のある位置に配設され、例えばブラケット２の前端２ａ側又は後端２ｂ側に配設される場合もあり得る。
【００４７】
また、電線経路規制部３の前後方向長さは電線９の保護のために必要な長さに設定され、例えばブラケット２と同程度に長くあるいはブラケット２よりも少し短く設定される場合もあり得る。また、傾斜壁５を有する一方の規制壁３ａの位置は左側に限らず右側であってもよい（図１のブラケット一体電線保護部材１を前後反転させて用いることも可能である）。
【００４８】
また、上記実施形態においては、天壁７を水平に配置したが、天壁７を斜め上向き（左上がり）に配置して、傾斜壁５との間に一層大きなテーパ状の電線案内空間８を構成することも可能である。
【産業上の利用可能性】
【００４９】
本発明に係るブラケット一体電線保護部材は、例えば自動車のトランスミッション内部等の構成部品の近傍に配索されるワイヤハーネスを外部との干渉等から安全に保護するために利用することができる。
【符号の説明】
【００５０】
１        ブラケット一体電線保護部材
２        ブラケット
４        一方の側壁
５        傾斜壁
５ａ      上端
６        他方の側壁
７        天壁
８，８ａ  電線挿入用の隙間
９        電線
１０      電線収容空間
Ｄ        外径
【図１】
2012182898.tif 000003
【図２】
2012182898.tif 000004
【図３】
2012182898.tif 000005
【図４】
2012182898.tif 000006
【図５】
2012182898.tif 000007
【図６】
2012182898.tif 000008
【図７】
2012182898.tif 000009
【図８】
2012182898.tif 000010
【図９】
2012182898.tif 000011